(57)【要約】【課題】浴槽テレビの液晶画面が大型化するとケーシングもそれに伴い大型化する。すると、ケーシングを構成する前ケース２や後ケース３の剛性が低下し、スピーカ４から発せられるテレビ音声によって前ケース２や後ケース３の一部が共振し、雑音の原因となる。【解決手段】スピーカ４を格納部２１内に密閉することによりスピーカ４から発せられるテレビ音声がケーシング内に漏出しないようにした。また、格納部２１を密閉するためのリブ３１をケーシングの補強としても機能させるようにした。【選択図】  図３
2005303040.tif 000002
【特許請求の範囲】
【請求項１】
相互に水密に連結される前ケースと後ケースとを備え、スピーカを格納する格納部を前ケース側に設けた浴室テレビにおいて、上記格納部の周壁を略全周にわたって後ケースに当接させるようにしたことを特徴とする浴室テレビ。
【請求項２】
後ケースにリブを形成し、このリブに上記格納部の周壁を当接させることを特徴とする請求項１記載の浴室テレビ。
【請求項３】
上記格納部の周壁を後ケースに接着したことを特徴とする請求項１または請求項２に記載の浴室テレビ。
【請求項４】
上記格納部の周壁と後ケースとの間に防振手段を介在させたことを特徴とする請求項１または請求項２に記載の浴室テレビ。
【請求項５】
上記格納部の周壁と後ケースとが相互に係合する係合手段を設けたことを特徴とする請求項１または請求項２に記載の浴室テレビ。
【発明の詳細な説明】
【技術分野】
【０００１】
本発明は、浴室内の壁面に取り付けられる浴室テレビに関する。
【背景技術】
【０００２】
この種の浴室テレビは、内部に電子装置が格納されているので、内部に湿気や湯水が侵入しないように、水密構造にする必要がある。そのため、樹脂製の前ケースと同じく樹脂製の後ケースとを相互に溶着している（例えば、特許文献１参照）。ところで、浴室テレビには前ケースにスピーカが取り付けられており、内蔵される電子基板に対してケーブルを介して接続されている。
【０００３】
なお、特許文献１に記載のものではスピーカの背部にはこの電子基板が位置するためスピーカを浴室テレビの内部で囲うことができない。そのため、スピーカから発せられるテレビ音声の一部はスピーカの背部から浴室テレビの内部全体に伝搬し、ある周波数のテレビ音声が共振して雑音発生の原因となる。
【０００４】
そこで、スピーカに相当する発音体を格納部で囲い、スピーカから発せられた音声がケーシング内部に拡がらず、前方へと発せられるようにした構造が知られている（例えば、特許文献２参照）。
【特許文献１】特開２００４−３１７５１号公報（図２）
【特許文献２】特開２０００−２２４６７８号公報（図１，図４）
【発明の開示】
【発明が解決しようとする課題】
【０００５】
上記特許文献２に記載のされたものでは、発音体が基板に取り付けられているので完全に発音体を囲うことができない。また、特許文献２に記載のものは比較的小型なリモコンに関するものである。
【０００６】
これに対して浴室テレビは大画面化の方向に開発が行われており、液晶画面の大きさが１０インチを超えるものが作成されつつある。そのため、前ケースおよび後ケースによって構成されるケーシングが大型化するが、前ケースおよび後ケースの肉厚は可能な限り薄くする必要があるので、ケーシング自体の剛性が低下する。そのため、液晶画面が小型の浴室テレビよりもケーシングの共振が発生しやすくなっている。
【０００７】
そこで本発明は、上記の問題点に鑑み、前ケースや後ケースの剛性をあげると共に、スピーカから発せられるテレビ音声によってこれら前ケースや後ケースが共振することのない浴室テレビを提供することを課題とする。
【課題を解決するための手段】
【０００８】
上記課題を解決するために本発明による浴室テレビは、相互に水密に連結される前ケースと後ケースとを備え、スピーカを格納する格納部を前ケース側に設けた浴室テレビにおいて、上記格納部の周壁を略全周にわたって後ケースに当接させるようにしたことを特徴とする。
【０００９】
スピーカは格納部内に格納されるので、スピーカから発音されたテレビ音声は前方へ出て行く。発音されたテレビ音声の一部は格納部から後方へ回り込もうとするが、格納部の周壁が略全周にわたって後ケースに当接しているので、格納部は密閉されることになり、テレビ音声がケーシング内に漏出しない。また、前ケースと後ケースとが外周縁以外にも格納部の周壁部分で相互に当接するので、両ケースの接触部位が従来のものより多くなり、浴室テレビが大型化しても前ケースや後ケースの剛性を高めることができる。
【００１０】
特に後ケースにリブを形成すれば後ケース単体での剛性を高めることができ、さらに、このリブに上記格納部の周壁を当接させることによって、前ケースと後ケースとを相互に接合した状態での剛性を高めることができる。
【００１１】
上記格納部の周壁を後ケースに接着してもよい。
【００１２】
あるいは、上記格納部の周壁と後ケースとの間に防振手段を介在させてもよい。
【００１３】
また、上記格納部の周壁と後ケースとが相互に係合する係合手段を設けてもよい。
【発明の効果】
【００１４】
以上の説明から明らかなように、本発明は、スピーカを格納する格納部を前ケースに設け、その格納部の周壁の略全周を後ケースに当接させて格納部を密閉するので、スピーカから発音されたテレビ音声が各所に漏出して共振が発生するという不具合を解消することができる。
【００１５】
また、格納部の周壁を介して前ケースと後ケースとが連結されるので、両ケースを結合させた状態での剛性が向上する。
【発明を実施するための最良の形態】
【００１６】
図１を参照してＢＲは浴室であり、この浴室ＢＲの壁面Ｗに本発明による浴室テレビ１が取り付けられている。
【００１７】
図２に示すように、この浴室テレビ１は前ケース２と後ケース３とが相互に水密に溶着されたケーシングを備えている。そして、このように前ケース２と後ケース３とが相互に溶着された状態で、さらに化粧用のカバー１１が前方から着脱自在に嵌着されている。
【００１８】
この前ケース２と後ケース３とからなるケーシング内には液晶表示部１２の他に、図３に示すように、スピーカ４および、このスピーカ４や液晶表示部１２を駆動する電子回路基板５が格納されている。
【００１９】
スピーカ４は前ケース２に形成された矩形の格納部２１内に取り付けられている。そして、この格納部２１を囲繞する周壁２３の一部には貫通孔２２が形成されている。この貫通孔２２は電子回路基板５とスピーカ４とを電気的に接続するリード線４１を挿通するものである。このように貫通孔２２を形成しリード線４１をその貫通孔２２に挿通したので、格納部２１の周壁の全周に相当する接合範囲２３ａにリード線４１が跨ることがない。
【００２０】
一方、後ケース３は平板状となるため剛性が低くなる。そこで、補強用のリブ３１を一体に形成した。そしてこのリブ３１は、前ケース２と後ケース３とを相互に合わせた状態で上記接合範囲２３ａに当接するように形成した。従って、前ケース２と後ケース３とを相互に接合するとスピーカ４が格納された状態の格納部２１は前ケース２の周壁２３と後ケース３のリブ３１とによって完全に密閉されることになる。なお、前ケース２と後ケース３とを相互に接合する前に、貫通孔２２はゴムブッシュもしくは樹脂によって閉塞しておくようにした。
【００２１】
図４を参照して、上述のように前ケース２と後ケース３とを相互に接合すると、格納部２１の周壁２３と後ケース３のリブ３１とが、接合範囲２３ａの全周にわたって当接する。ここで、単に両者を当接させるだけでもよいが、前ケース２と後ケース３とを相互に接合する前に、接合範囲２３ａの全周に接着剤を塗布しておき、前ケース２と後ケース３とを相互に接合した状態で、周壁２３とリブ３１とがこの接着剤によって相互に接着されるようにした。このように接着剤を用いることによって、格納部２１の気密性が向上するばかりか、前ケース２と後ケース３とを相互に接合した状態での剛性がさらに向上する。
【００２２】
ところで、このように接着剤を用いてもよいが、接合範囲２３ａの全周にわたって、弾性を有するシート状の材質で形成したパッキンをセットし、周壁２３とリブ３１とでそのパッキンを挟んで圧縮し、格納部２１の気密性を確保するようにしてもよい。
【００２３】
さらには、図５に示すように、リブ３１を溝状に形成し、その溝部内に周壁２３が監修して両者が相互に係合するようにしてもよい。そして、この図５に示す構造を採用する際には、接合範囲２３ａに接着剤を塗布する技術もしくはパッキンを介在させる技術を合わせて適用してもよい。
【００２４】
ところで、上述の構成では周壁２３に貫通孔２を形成し、この貫通孔２にリード線４１を挿通したが、前ケース２の射出成型時に貫通孔２の形成が煩わしい場合には、図６に示すように、貫通孔ではなく切欠き部２２ａを周壁２３に形成してもよい。ただし、このように構成した場合には、接合範囲２３ａがこの切欠き部２２ａで若干ながら切断されるが、切欠き部２２ａを除く周壁２３の略全周が後ケース３に当接するので、切欠き２２ａを設けたことによる不具合は特に生じない。
【００２５】
なお、本発明は上記した形態に限定されるものではなく、本発明の要旨を逸脱しない範囲内において種々の変更を加えてもかまわない。
【図面の簡単な説明】
【００２６】
【図１】本発明の一実施の形態の構成を示す図
【図２】浴室テレビの構成を示す図
【図３】スピーカ周辺の構成を示す図
【図４】スピーカの格納部の構造を示す図
【図５】スピーカの格納部の他の構造を示す図
【図６】リード線を挿通する切欠き部の形状を示す図
【符号の説明】
【００２７】
１  浴室テレビ
２  前ケース
３  後ケース
４  スピーカ
５  電子回路基板
２１  格納部
２３  周壁
２３ａ  接合範囲
３１  リブ
４１  リード線
ＢＲ  浴室
Ｗ  壁面
【図１】
2005303040.tif 000003
【図２】
2005303040.tif 000004
【図３】
2005303040.tif 000005
【図４】
2005303040.tif 000006
【図５】
2005303040.tif 000007
【図６】
2005303040.tif 000008